(57)【要約】      （修正有）【課題】軽量かつ液の漏洩のない振動式スプレー構造を提供する。【解決手段】振動式携帯スプレー１は、回路基板１３、電源１４をセットする主体座１と、その前、後、上面を覆う前蓋２、後蓋３及び上蓋４から構成され、貯液タンク１１を主体座１に形成して、別に作製された蓋体１２を熱圧着して一体とする。貯液タンク下部に液体流出口１１２を設けて振動片１５に重力により液体を供給し、超音波により霧化して噴射する。【選択図】図２
0003161996.tif 000002
【実用新案登録請求の範囲】
【請求項１】
振動式スプレーであって、主体座及び主体座外周面に覆う覆蓋部材からなり、主体座の上方には垂直に延長する貯液タンクが設けられ、貯液タンクの上部には上方に開口する液体の流入口が設けられると共に貯液タンクの底部には主体座横断面と垂直に前方向に液体流出口が設けられ、該液体流出口に対して少なくとも一つの振動片、及び振動片を固定する固定座を設置し、当該固定座の中央部には振動片により発生した水霧をガイドして噴出させる導孔を設けていることを特徴とする振動式スプレー構造。
【請求項２】
上記主体座に設けられた貯液タンクの開放面に対して、密封蓋により密封して貯液タンクを構成することを特徴とする振動式スプレー構造。
【請求項３】
前記振動片はウェーハ状であり、その外周には軟性材料から形成した環状ゴムを設けていることを特徴とする振動式スプレー構造。
【請求項４】
前記振動片は貯液タンクの液体流出口に設置されると共に、マイクロファンによって霧化された液体を吹き出すことを特徴とする振動式スプレー構造。
【請求項５】
前記固定座の後端面の導孔の周囲には主体座前側の溝と組み合わされる後環状溝が設けられて、それによって振動片の周辺に設けられた環状ゴムを固定して密封することを特徴とする振動式スプレー構造。
【考案の詳細な説明】
【技術分野】
【０００１】
本考案は、充填された液体自身の重力によって振動片に直接液体を供給させる重力式液供給のスプレー構造に関するものである。
【背景技術】
【０００２】
空気の乾燥及び長時間の冷房環境によって皮膚の水分を失って乾燥させられるため、美容に関心の高い女性たちは肌の潤いを保つ為に、常時顔に水分を補給しなければならない。超音波スプレーは既にこの方面において広範に使用され、特に独自の微孔ノズル式の振動片によって水またはその他の化粧液を数十万Hz以上の振動によって霧化させて噴出する技術によって、肌の深層まで浄化させるだけでなく、化粧液の成分を皮膚の表皮から浸透させたり深部にまで到達させたりして、皮下細胞に十分に化粧液のエッセンスを吸収させて皮膚の細胞を活性化し、肌の弾力と光沢とを回復させる。この霧化の過程において、振動片は圧電効果によりマイナスイオンを発生させ、栄養成分と結合して肌の深層までもたらし、皮膚細胞の水分及び栄養エキスの吸収を促す一方、毛細血管のスムーズな新陳代謝を促進し、細胞老化の原因になる毒素を排除させる。
【０００３】
従来の超音波霧化装置は手軽に携帯できるように市場向けに作られてきたものは、図4に示す携帯タイプの霧化装置のように、携帯用の本体５１及び本体５１の上にある貯液タンク５２で構成している。これを作動させる為には貯液タンク５２の中に貯留した液体を振動片に吸着させて霧化してから噴出する。この仕組みの方法は業界において二通りがある。一つは吸着力のある吸液材を通して、振動片の背面に接触させて、電子回路により振動片に電気的に高周波振動を発生して、吸液材に吸収された液体を霧化させて噴出する。
もう一つはピストンを介して振動片に取り付かせるように液体を流動させて、電子回路によって振動片に高周波振動を発生することによって振動片に接触した液体を霧化させて噴出する。
【０００４】
【特許文献１】特開２００９−２９７０８８号公報
【考案の開示】
【考案が解決しようとする課題】
【０００５】
上記の二種類の霧化装置はいずれも液体を振動片に触れさせて霧化させる手段であって、そのいずれも下記のような欠点がある。
【０００６】
第一、水平式の供液方法は吸液材を用いて液体を振動片に取り付かせるため、長期間使用すると吸液材の吸着容量が低下したり、吸着力が不均衡になったりして霧化の効果に影響する。
【０００７】
第二、ピストンによって液体を振動片に取り付かせる方法は必要な部品が多くてコスト面で不利である組立てにも手間がかかる。
【０００８】
第三、上記の二つの構造とも貯液タンクと本体とを組合わせる構造であるが液体の漏洩もこの構造によって発生しやすくなり、構造自体も大きくなって携帯に不便である。
【０００９】
本考案は、上記の点に鑑み、振動式スプレー構造であって、垂直なタンク構造により重力式の供液方法で液体自身の重力を以って振動片に供給して霧化させることから、不必要な消耗材を省けることを目的とする。
【課題を解決するための手段】
【００１０】
上記目的を達成するために、貯液タンクと本体を一体化した構造として、貯液タンクによる漏洩現象を有効に防ぐほか、構造全体を軽便にして携帯しやすくなるようにする。
【００１１】
本考案の振動式スプレー構造は、各部品を内部に収納する主体座、及びその主体座の外周面を覆う覆蓋部材からなる。主体座は絶縁材料からなり、後ろから前に凹入して空洞を形成するような構造で、後端部の上方には不規則形状の貯液タンクが設けられて、横断面から見る内部の各表面は垂直または傾斜状に設計されていて、貯液タンクの中にある液体は下方の液体流出口に向けて十分な重力作用を及ぼすように構成した。貯液タンクには上方に開口する円形の液体流入口が設けられると共に、その貯液タンクの底部に横断面と垂直に前方向に液体流出口が設けられ、液体自身の重力作用によって液体を振動片と接触させて霧化してからこの開口から噴出する。製造過程においてその貯液タンクの横断面は開放面であるが、別途作製された密封蓋を熱圧着によって貯液タンクを密封させてから各種の液体を保存する。
【００１２】
主体座の貯液タンクの下には一つの収納空間があり、そこに制御用電子回路基板及び電源を収納して、外部に設けられたスイッチを介して振動片と発光装置の作動を制御し、その電源は外部電源、或いは収納された内部電源であっても本考案の効果に影響しない。
【００１３】
前方から見ると、流出口の位置から順番に設けられる部品は、振動片、振動片を固定する固定座、及び固定座に定位された発光装置がある。
【００１４】
本考案の振動式スプレー構造は、必要な液体を流入口から貯液タンクに注入し、一杯になると栓で流入口を密閉する。貯液タンクの中に入れられた液体は自身の重力作用によって流出口の振動片に達するが、振動片のノズル口径をミクロンレベルに設定しているため、貯液された液体は溢れ出す事なく、貯液タンク内に保存される。更に、スイッチに制御されて通電された振動片は液体に対して十分な圧力を発生させて、均一かつ細微でマイナスイオンを帯びた霧化した液体を固定座の導孔から排出させる。これと同時にスイッチから発射させたい波長の発光を選択して、肌への更なるスキンケア効果を与える。
【考案の効果】
【００１５】
従来の技術と比べれば、本考案の振動式スプレー構造は液体自身の重力で液体を振動片に供給させる為、別体の貯液タンクに必要な付加的な部品や構造が必要なくなる。更に、構造全体として軽便で携帯し易くなるだけではなく、従来の構造による漏洩現象も防止できる。
【考案を実施するための最良の形態】
【００１６】
以下、本考案の実施形態について図面を参照して説明する
【実施例１】
【００１７】
図１、２、３に示すように、本考案の振動式スプレー構造の一実施例は、当該振動式スプレー１００は各部品を収納する主体座１及びその主体座１に被せる蓋セット、本実施例の覆蓋部材は前蓋２、後蓋３、及び上蓋４からなる。
【００１８】
主体座１は、絶縁材料からなり、後ろから前に凹入して空洞を形成する構造で、後端部の上方には不規則な貯液タンク１１が設けられて、横断面から見る内部の各表面は垂直または傾斜状に設計されていて、貯液タンク１１の中にある液体が下方の液体流出口１１１に向けて重力作用を及ぼすように構成される。貯液タンク１１の上には上方に開口する液体流入口１１１が設けられていて、その流入口１１１を栓１８で密封する。
【００１９】
貯液タンク１１の底部に貯液タンク１１の横断面と垂直に前方向に円形の流出口１１２が設けられ、液体自身の重力作用によって液体を振動片１５と接触させて霧化してからこの開口から噴出する。生産過程においてその貯液タンク１１の横断面は開放式に設計されていて、別に作製された密封蓋１２を熱圧着法により貯液タンク１１を密封して各種の液体を貯留する。
【００２０】
貯液タンク１１の下方には収納空間１１３があり、その収納空間１１３は制御用電子回路基板１３及び電源１４を収納して、外側表面に設けられたスイッチ１９を介して振動片１５と発光装置１７を制御する。その電源１４は、外部電源から供給されるタイプ、或いは電源を内臓するタイプであってもよく、いずれでも本考案の効果に影響しない。
【００２１】
前方から見て、流出口１１２の位置から順番に設けられる部品は、振動片１５、振動片１５を固定する固定座１６、及び固定座に定位された発光装置１７がある。上記主体座１の先端にある流出口１１２の周りには環状の溝１１４が設けられている。
【００２２】
本実施例において、振動片１５はウェーハ状であってマイクロチップと圧電セラミックス（ＰＺＴ）を接合したものである。その圧電セラミックスを電子回路を介して主体座１中にある制御用電子回路基板１３とリンクして制御する。通電された圧電セラミックスが発生した圧電効果によって機械的変位を生じてマイクロチップを前後に引いたり伸ばしたりする。１３０ＫＨｚの超音波周波数で前後に振動し、マイクロチップの微孔口の両側に気圧差を生じて液体を微小霧化させて、微孔口にガイドされて排出させ、均一かつ緻密な霧化効果が得られる。圧電作用の原理により、振動片は同時にマイナスイオンを発生させ、栄養成分と結合して肌の深層へと浸透し、皮膚細胞の水分及び栄養エキスの吸収を促す。また、振動片１５の周辺には環状ゴム151が設けられている。環状ゴム１５１は軟性材料から作られ、稼働中の振動片１５から発生した振動を緩和させる傍ら、液体の漏洩をも防止する。
【００２３】
本考案は他の実施例においては、振動片１５を貯液タンク１１に配置して、マイクロファンで液体からなる水霧を吹き出すこともできる。
【００２４】
前記固定座１６は方形の構造をし、その四周に設置された螺子によって主体座１１に固定され、その中央部に水霧をガイドする円形の導孔１６１を設けている。当該導孔１６１は若干前向きに突出していて、組立てられた後も前蓋２の外に露出するようにする。固定座１６の先端面の導孔１６１の周囲に壁部１６２が設けられていて、当該壁部１６２は導孔１６１の突出した外壁と共に発光装置１７を定位する定位空間１６３を形成する。
固定座１６の後端面の導孔１６１の周囲には主体座１１先端の溝１１４と合わせて作用する後環状溝１６４が設けられて、それによって振動片１５の周辺に設けられた環状ゴム１５１を固定する。
【００２５】
前記発光装置１７は、多数の発光ダイオード（ＬＥＤ）１７１を具え、当該ダイオード１７１は環状電子回路基板上に設置され、主体座1の収納空間内に設置された制御用電子回路基板１３とリンクして電子回路基板１３に制御されて必要に応じて特定色の光線を発射する。使用者はスイッチ１９を介して必要に応じた異なる色の低エネルギー可視光を射出し、顔の皮膚に異なる程度のスキンケアを行う。
【００２６】
本考案の霧化装置の作動過程については、まず必要な液体を流入口１１１から貯液タンク１１に注入し、満杯状態で軟性の栓１８で流入口１１１を密閉し、貯液タンク１１中に充填された液体は自身の重力作用によって流出口１１２の振動片１５に達する。更に、スイッチ１９に制御されて通電された振動片１５は振動してそれに伴って発生する圧力により、均一かつ細微なマイナスイオンを帯びて霧化した液体を固定座１６の導孔１６１から排出させる。これと同時にスイッチ１９により発射させたい発光色を選択して、肌への更なるスキンケアを与える。
【００２７】
前記貯液タンク１１は構造と形状において、実施例のタイプに限定されず、例えば不規則な多辺形や円錐状など様々な応用、変形が可能である。
【００２８】
他の実施例において、貯液タンク１１の周囲に小通気孔を設けて振動片１５が振動するときに貯液タンク１１内外の気圧の平衡を保ってり良い霧化効果を遂げる（図面には示していない）ことができる。当該小通気孔の構造は、弁造であり、貯液タンク１１の貯液が減るときに、外から空気が入れて貯液タンクの気圧バランスを保持できる。
【００２９】
本考案の要点を纏めると、１.垂直式の貯液タンク構造を採用して、流出口を貯液タンクの底部に設けて、重力作用によって内部の液体を振動片に接触・供給させる。２.貯液タンクと主体座を一体に形成して液体の漏洩を防止できるだけでなく、装置全体も軽量になって携帯しやすくなる。
【００３０】
本考案の好ましい実施の形態を前述の通り開示したが、本発明は決して上記実施の形態に限定するものではなく、当該技術を熟知する者なら誰でも、本考案の精神と領域を脱しない範囲内で各種の変更や潤色を加えることができ、従って本発明の保護範囲は、特許請求の範囲で指定した内容を基準とする。
【産業上の利用可能性】
【００３１】
本考案は、簡単な構造によって機能を達成するとともに製造コストを低減することによって、広く普及を図ることができ、産業上資するものである。
【図面の簡単な説明】
【００３２】
【図１】本考案に係る振動式スプレー構造の実施例を示す立体図である。
【図２】図１の立体分解図である。
【図３】その他の視角から見る図1の立体分解図である。
【図４】従来の超音波霧化装置を示す立体図である。
【符号の説明】
【００３３】
１００  振動式スプレー装置
１      主体座               
１１    貯液タンク
１１１  流入口              
１１２  流出口
１１３  収納空間            
１１４  溝
１２    密封蓋              
１３    制御用電子回路基板 
１４    電源         
１５    振動片
１５１  環状ゴム               
１６    固定座
１６１  導孔                
１６２  壁部
１６３  定位空間                
１６４  後環状溝
１７    発光装置             
１７１  発光ダイオード
１８    栓                 
１９    スイッチ
２      前蓋                  
３      後蓋
４      上蓋
【図１】
0003161996.tif 000003
【図２】
0003161996.tif 000004
【図３】
0003161996.tif 000005
【図４】
0003161996.tif 000006
【手続補正書】
【提出日】平成22年6月4日(2010.6.4)
【手続補正１】
【補正対象書類名】実用新案登録請求の範囲
【補正対象項目名】全文
【補正方法】変更
【補正の内容】
【実用新案登録請求の範囲】
【請求項１】
振動式スプレーであって、主体座及び主体座外周面に覆う覆蓋部材からなり、主体座の上方には垂直に延長する貯液タンクが設けられ、貯液タンクの上部には上方に開口する液体の流入口が設けられると共に貯液タンクの底部には主体座横断面と垂直に前方向に液体流出口が設けられ、該液体流出口に対して少なくとも一つの振動片、及び振動片を固定する固定座を設置し、当該固定座の中央部には振動片により発生した水霧をガイドして噴出させる導孔を設けていることを特徴とする振動式スプレー構造。
【請求項２】
前記主体座に設けられた貯液タンクの開放面に対して、密封蓋により密封して貯液タンクを構成することを特徴とする請求項１記載の振動式スプレー構造。
【請求項３】
前記振動片はウェーハ状であり、その外周には軟性材料から形成した環状ゴムを設けていることを特徴とする請求項１記載の振動式スプレー構造。
【請求項４】
前記振動片は貯液タンクの液体流出口に設置されると共に、マイクロファンによって霧化された液体を吹き出すことを特徴とする請求項１記載の振動式スプレー構造。
【請求項５】
前記固定座の後端面の導孔の周囲には主体座前側の溝と組み合わされる後環状溝が設けられて、それによって振動片の周辺に設けられた環状ゴムを固定して密封することを特徴とする請求項１記載の振動式スプレー構造。